(57)【要約】      （修正有）【課題】人工骨に割れ等を生じさせずに、生体骨に人工骨を固定できると共に、生体組織の損傷を防止できる、生体骨の補填具を提供する。【解決手段】この補填具１は、人工骨１０と連結プレート２０と固定具３０とを備え、人工骨１０には第１挿通孔１２が形成され、連結プレート２０には第２挿通孔２６と第３挿通孔とが設けられ、固定具３０は、第１挿通孔１２より小径のパイプ部材３２と、第１挿通孔１２より大径のフランジ部３４ａとを有し、人工骨１０の内面側から、パイプ部材３２を第１挿通孔１２に挿通させ、フランジ部３４ａを第１挿通孔１２の内面側周縁に係合させ、パイプ部材３２を更に第２挿通孔２６に挿入して、挿出した部分を切断すると共にカシメることにより、カシメ部を第２挿通孔２６の周縁に係合させて、連結プレート２０の一端と人工骨１０とが接続される。【選択図】図２
2010035921.tif 000002
【特許請求の範囲】
【請求項１】
生体骨の欠損部を補填する形状をなす人工骨と、
この人工骨に一端を固定され、他端を生体骨に固定される連結プレートと、
前記連結プレートの一端を前記人工骨に固定する固定具とを備えた生体骨の補填具において、
前記人工骨には、前記連結プレートを固定するための第１挿通孔が形成されており、
前記連結プレートには、前記人工骨に固定するための第２挿通孔と、前記生体骨に固定するための第３挿通孔とが設けられており、
前記固定具は、前記第１挿通孔及び前記第２挿通孔の内径よりも小さい外径のパイプ部材と、その一端に形成された、前記第１挿通孔の内径よりも大きい外径のフランジ部とを有しており、
前記人工骨の内面側から、前記固定具のパイプ部材を前記第１挿通孔に挿通させて、前記フランジ部を前記人工骨の第１挿通孔の内面側周縁に係合させ、該第１挿通孔から挿出された前記パイプ部材を更に前記連結プレートの第２挿通孔に挿入し、該第２挿通孔から挿出した部分を切断すると共にカシメることにより、該カシメ部を該第２挿通孔の周縁に係合させて、前記連結プレートの一端と前記人工骨とが接続されていることを特徴とする生体骨の補填具。
【請求項２】
前記連結プレートの第２挿通孔の外面側周縁には、内面側に向かうほどへこむテーパ状凹部が形成されている請求項１記載の生体骨の補填具。
【請求項３】
前記人工骨の第１挿通孔の内面側周縁には、前記固定具のフランジ部の厚さよりも、深い凹部が形成されている請求項１又は２記載の生体骨の補填具。
【発明の詳細な説明】
【技術分野】
【０００１】
本発明は、例えば、頭蓋骨等の生体骨に欠損が生じたときに、欠損した部分を補填するための生体骨の補填具に関する。
【背景技術】
【０００２】
例えば、事故等により生体骨が欠損した場合、生体骨の代わりとして欠損部に人工骨を補填することがある。また、脳腫瘍や脳血栓等の治療のために、頭蓋骨の一部を切除して開頭手術等を行った場合、頭蓋骨の欠損部に人工骨を補填することがある。このように、生体骨の欠損部を人工骨で補填する技術が広く用いられている。
【０００３】
下記特許文献１には、人工骨及び生体骨に螺着させるスクリュー部材と、スクリュー部材で両端が固定され、人工骨と生体骨とを連結する架橋部材とからなる固定治具を備えた人工骨固定構造が開示されている。そして、人工骨に予め形成された開口部に、円筒状をなし複数に分割された膨張部を有する緩衝部材を挿入した後、スクリュー部材を、架橋部材の孔を通して緩衝部材に螺入して締め付けることにより、膨張部が拡張して開口部に係合し、緩衝部材を介して架橋部材が人工骨に固定されるようになっている。
【０００４】
また、下記特許文献２には、円形の傘型フランジ状をなす第１締付け部材及び第２締付け部材と、両者を連結する筒状の延長部材とを備えた、頭蓋弁締め具が開示されている。そして、締め具の延長部材を、頭蓋骨及び骨弁の突き合わせ部分の間に配置し、第１締付け部材を頭蓋骨及び骨弁の内面側端縁に配置し、更に、第２締付け部材を頭蓋骨及び骨弁の外面側端縁に第２締付け部材を配置する。その後、延長部材の両端をカシメて、第１,第２締付け部材が撓み変形させることにより、頭蓋骨及び骨弁が第１,第２締付け部材により挟み込まれて、締め具を介して頭蓋骨と骨弁とが固定されるようになっている。
【特許文献１】特開２００６−２３０７８７号公報
【特許文献２】特表２００４−５０４８８３号公報
【発明の開示】
【発明が解決しようとする課題】
【０００５】
引用文献１では、スクリュー部材を緩衝部材内に締付けていくと、複数に分割された膨張部が押し広げられて開口部に係合するようになっているが、このとき、押し広げられた膨張部によって、人工骨の開口部内周が強く押圧されるので、人工骨の開口部周縁から割れや亀裂が生じやすくなる可能性がある。
【０００６】
また、スクリュー部材を捩じ込んでいくと、緩衝部材を介して人工骨が強く押圧されるため、この場合も人工骨の割れ等の原因となる可能性もある。
【０００７】
一方、引用文献２では、頭蓋骨及び骨弁を固定する際に、フランジ状の第１,第２締付け部材で表裏両面を挟み込むようになっているので、頭蓋骨の内面側に締付け部材が位置して、頭蓋骨の内部組織に干渉する虞れが生じる。
【０００８】
更に、頭蓋骨及び骨弁の厚みが異なる場合、それらを第１,第２締付け部材で挟み込むと、各締付け部材と、頭蓋骨又は骨弁との間に隙間が生じてガタ付いてしまい、頭蓋骨及び骨弁を強固に連結できないという不都合が生じる。
【０００９】
更にまた、頭蓋骨及び骨弁を挟み込む第１,第２締付け部材は、傘型フランジ状をなしているので、屈曲面の多い頭蓋骨の形状に追随させて、適宜屈曲変形させることが難しく、締付け具の適用箇所が制限されるというデメリットがある。
【００１０】
したがって、本発明の目的は、人工骨に割れ等を生じさせることなく、生体骨及び人工骨の厚みが異なったり、生体骨及び人工骨が屈曲した形状をなしていても、生体骨に人工骨を固定することができると共に、生体組織等が損傷することを防止できる、生体骨の補填具を提供することにある。
【課題を解決するための手段】
【００１１】
上記目的を達成するため、本発明の第１は、生体骨の欠損部を補填する形状をなす人工骨と、この人工骨に一端を固定され、他端を生体骨に固定される連結プレートと、前記連結プレートの一端を前記人工骨に固定する固定具とを備えた生体骨の補填具において、前記人工骨には、前記連結プレートを固定するための第１挿通孔が形成されており、前記連結プレートには、前記人工骨に固定するための第２挿通孔と、前記生体骨に固定するための第３挿通孔とが設けられており、前記固定具は、前記第１挿通孔及び前記第２挿通孔の内径よりも小さい外径のパイプ部材と、その一端に形成された、前記第１挿通孔の内径よりも大きい外径のフランジ部とを有しており、前記人工骨の内面側から、前記固定具のパイプ部材を前記第１挿通孔に挿通させて、前記フランジ部を前記人工骨の第１挿通孔の内面側周縁に係合させ、該第１挿通孔から挿出された前記パイプ部材を更に前記連結プレートの第２挿通孔に挿入し、該第２挿通孔から挿出した部分を切断すると共にカシメることにより、該カシメ部を該第２挿通孔の周縁に係合させて、前記連結プレートの一端と前記人工骨とが接続されていることを特徴とする生体骨の補填具を提供するものである。
【００１２】
上記発明によれば、人工骨の内面側から、固定具のパイプ部材を第１挿通孔に挿通させて、フランジ部を人工骨の第１挿通孔の内面側周縁に係合させ、第１挿通孔から挿出されたパイプ部材を更に連結プレートの第２挿通孔に挿入し、第２挿通孔から挿出した部分を切断すると共にカシメることにより、該カシメ部を第２挿通孔の周縁に係合させて、前記連結プレートの一端と前記人工骨とを接続することができる。そして、パイプ部材の外径は第１挿通孔の内径よりも小さく、カシメ部は、第２挿通孔の周縁に強く押圧されて係合するものではないため、人工骨に過大な締め付け応力がかかることがなく、人工骨の割れや亀裂を確実に防止できる。
【００１３】
この補填具は、前述したように、人工骨と連結プレートとが固定具によって予め接続されているので、手術の際に、医師は、人工骨を生体骨の欠損部に当てがい、人工骨に接続された連結プレートの他端を、ネジ等の固定手段を用いて第３挿通孔を通して生体骨に固定することにより、人工骨を生体骨に簡単な操作で迅速に取付けることができる。
【００１４】
また、固定具のカシメ部は、人工骨の外面側に配置されるので、生体骨内にカシメ部が位置することがなく、例えば頭蓋骨などの内部組織を損傷することを防止できる。
【００１５】
更に、人工骨と生体骨とは、その表側に配置される連結プレートを介して固定されるので、人工骨及び生体骨の厚みが異なる場合であっても、確実に両者を固定することができる。
【００１６】
更にまた、頭蓋骨のような屈曲形状が多い生体骨に人工骨を固定するような場合でも、人工骨と生体骨とを連結する連結プレートを適宜屈曲させることにより、生体骨の屈曲形状に柔軟に対応させて、人工骨及び生体骨の両者を整合させて固定することができる。
【００１７】
本発明の第２は、前記第１の発明において、前記連結プレートの第２挿通孔の外面側周縁には、内面側に向かうほどへこむテーパ状凹部が形成されている生体骨の補填具を提供するものである。
【００１８】
上記発明によれば、固定具のパイプ部材のカシメ部が、テーパ状凹部に入り込んで、第２挿通孔に係合するので、外面側に突出しにくくなり、人工骨の外側を覆うことになる皮膚などの組織の損傷を防ぐことができる。
【００１９】
本発明の第３は、前記第１又は第２の発明において、前記人工骨の第１挿通孔の内面側周縁には、前記固定具のフランジ部の厚さよりも、深い凹部が形成されている生体骨の補填具を提供するものである。
【００２０】
上記発明によれば、人工骨の第１挿通孔の内面側周縁に、固定具のフランジ部を係合させたとき、フランジ部が凹部に収容されて内面側に突出しないので、例えば頭蓋骨などの場合、内側の脳組織などを損傷することを防ぐことができる。
【発明の効果】
【００２１】
本発明の生体骨の補填具によれば、人工骨の内面側からパイプ部材を第１挿通孔に挿通させて、これを連結プレートの第２挿通孔に挿入した後、挿出した部分を切断すると共にカシメることにより、カシメ部を第２挿通孔の周縁に係合させて、連結プレートの一端と人工骨とを接続できる。そして、パイプ部材の外径は第１挿通孔の内径よりも小さく、カシメ部は、第２挿通孔の周縁に強く押圧されて係合するものではないため、人工骨に過大な締め付け応力がかかることがなく、人工骨の割れや亀裂を確実に防止できる。
【００２２】
また、固定具のカシメ部は、人工骨の外面側に配置されるので、生体骨内にカシメ部が位置することがなく、例えば頭蓋骨などの内部組織を損傷することを防止できる。更に、人工骨と生体骨とは、その表側に配置されるプレートを介して固定されるので、人工骨及び生体骨の厚みが異なる場合であっても、確実に両者を固定することができる。更にまた、頭蓋骨のような屈曲形状が多い生体骨に人工骨を固定するような場合でも、人工骨と生体骨とを連結する連結プレートを適宜屈曲させることにより、生体骨の屈曲形状に柔軟に対応させて、人工骨及び生体骨の両者を整合させて固定することができる。
【発明を実施するための最良の形態】
【００２３】
以下、図面を参照して、本発明の生体骨の補填具の一実施形態について説明する。
【００２４】
例えば、脳腫瘍や脳血栓等の治療のために開頭手術を行う場合には、頭皮を切開してバーホール４を複数開けて、これらを基点として頭蓋骨である生体骨３の一部を切除することにより、開口した欠損部５が形成される（図１参照）。この実施形態における本発明の生体骨の補填具１（以下、「補填具１」という）は、上記のような、頭蓋骨等の生体骨３に形成された欠損部５を、補填するためのものである。
【００２５】
図２に示すように、この補填具１は、生体骨３の欠損部５を補填する形状をなす人工骨１０と、この人工骨１０に一端を固定され、他端を生体骨３に固定される連結プレート２０と、該連結プレート２０の一端を前記人工骨１０に固定する固定具３０とを備えている。
【００２６】
なお、この実施形態では、頭蓋骨等の生体骨３に形成された欠損部５の形状に対応した、いわゆる骨弁形状をなした人工骨１０が補填材として用いられるが、腕や足等の運動器系に関する整形外科等の分野において、生体骨の欠損部を補填するために用いることもでき、特に限定されるものではない。
【００２７】
まず、人工骨１０について説明する。この人工骨１０は、ハイドロキシアパタイト、フッ素アパタイト、リン酸三カルシウム等のリン酸カルシウム系化合物や、アルミナ、ジルコニア、前記素材を２種以上混ぜ合わせたもの等のセラミックスなどを主原料とした材料から形成される。これらの中でも生体骨３と同様の成分とされた、ハイドロキシアパタイトを主原料としたものが、生体適合性を確保する観点から好ましい。
【００２８】
また、上記人工骨１０は、生体骨３の補填すべき欠損部５に適合した形状に形成されるが、その形成方法としては、例えば、欠損部５をＣＴスキャンして複数の２次元データを取得し、これに基づいて欠損部５に適合する人工骨１０の３次元形状データを作成して、この３次元形状データに基づいてＮＣ加工等する方法などを採用できる。
【００２９】
図２及び図６に示すように、人工骨１０の所定箇所には、連結プレート２０を固定するための第１挿通孔１２が、人工骨１０の厚さ方向に貫通して形成されている。この第１挿通孔１２には、後述する固定具３０のパイプ部材３２が挿通されると共に、その内面側周縁に同固定具３０のフランジ部３４ａが係合し、外面側周縁には連結プレート２０の一端が当接するようになっている。
【００３０】
なお、上記の「外面」とは、生体の皮膚（この実施形態では頭蓋骨を覆う頭皮）側に配置される面を意味し、「内面」とは、外面の反対側であって生体骨により保護される生体組織（この実施形態では頭蓋骨内の脳組織等）側に配置される面を意味する（以下の説明での外面、内面も同じ意味）。
【００３１】
次に、連結プレート２０について説明する。この連結プレート２０は、チタン、チタン系合金、ステンレス、Ｎｉ−Ｔｉ系合金、Ｃｏ−Ｃｒ系合金等の金属材料や、ポリエチレン、ポリプロピレン、ポリイミド、フッ素系樹脂等の樹脂材料で形成されており、これらの中でも、生体適合性や耐食性等が良好なチタン又はチタン合金が好ましく用いられる。
【００３２】
この実施形態における連結プレート２０は、図２及び図３に示すように、一端に配置された大径円形部２２と、これよりも小径とされて、所定間隔で一列に配置された複数の小径円形部２３と、前記大径円形部２２及び小径円形部２３どうしを連結する連結片２４とを有し、全体として直線状に伸びる細長の板状をなしている。
【００３３】
前記大径円形部２２の中心には、前記人工骨１０に固定するための第２挿通孔２６が形成されており、各小径円形部２３の中心には、前記生体骨３に固定するための第３挿通孔２８が形成されている。更に、図３（ｂ）に示すように、この第２挿通孔２６及び第３挿通孔２８の外面側周縁には、内面側に向かうほどへこむ、テーパ状凹部２６ａ,２８ａがそれぞれ形成されている。図６に示すように、前記第２挿通孔２６の外面側周縁には、後述する固定具３０のパイプ部材３２を切断したときに形成されるカシメ部３２ａが係合し、前記第３挿通孔２８の外面側周縁には、後述するネジ４０の頭部４０ａが係合するようになっている。
【００３４】
なお、連結プレート２０の形状としては、上記形状に限らず、薄板の円形プレートや、頭蓋骨の形状に適合した３次元形状をなしたプレートや、四角形や五角形等の多角形の枠状をなしたものなどであってもよく、人工骨１０に固定するための第２挿通孔２６と、生体骨３に固定するための第３挿通孔２８とを形成可能な形状であればよい。
【００３５】
次に、固定具３０について説明する。この固定具３０は、前記連結プレート２０と同様に、チタン、チタン系合金、ステンレス、Ｎｉ−Ｔｉ系合金、Ｃｏ−Ｃｒ系合金等の金属材料や、ポリエチレン、ポリプロピレン、ポリイミド、フッ素系樹脂等の樹脂材料で形成され、生体適合性や耐食性の観点からチタン又はチタン合金が好ましく用いられる。また、電気化学的腐食を抑えるため、固定具３０の材質は、前記連結プレート２０の材質と同一であることが好ましい。
【００３６】
図４に示すように、この実施形態における固定具３０は、所定長さで伸びる円筒状のパイプ部材３２と、該パイプ部材３２の一端に固着されるフランジ部材３４とを有している。図６に示すように、前記パイプ部材３２は、人工骨１０に設けた第１挿通孔１２及び連結プレート２０に形成された第２挿通孔２６の内径よりも小さい外径とされている。また、前記フランジ部材３４は、前記第１挿通孔１２の内径よりも大きい外径のフランジ部３４ａ（図６参照）と、該フランジ部３４ａの中心から突出して、パイプ部材３２内に圧入又は挿入可能な外径とされた軸部３４ｂとを有している。
【００３７】
そして、図４の矢印に示すように、フランジ部材３４の軸部３４ｂを、パイプ部材３２の一端部内周に圧入するか、及び／又は、同軸部３４ｂをパイプ部材３２の一端部内周に挿入してパイプ部材３２の一端部外周をカシメることにより、パイプ部材３２の一端部にフランジ部材３４が固着されて、固定具３０が形成される（図４参照）。
【００３８】
一方、上述した連結プレート２０は、固定具３０を介して人工骨１０に接続されるようになっている。これについて、図２及び図６を参照して説明すると、まず、人工骨１０の内面側から、固定具３０のパイプ部材３２を、人工骨１０の第１挿通孔１２に挿通させて、パイプ部材３２の他端を第１挿通孔１２から挿出させると共に、固定具３０のフランジ部３４ａを、人工骨１０の第１挿通孔１２の内面側周縁に係合させる。
【００３９】
次いで、第１挿通孔１２から挿出されたパイプ部材３２の他端を、連結プレート２０の第２挿通孔２６に挿入し、該第２挿通孔２６から挿出した部分を、切断すると共にカシメる。
【００４０】
このとき、パイプ部材３２は筒状をなしているので、切断時にパイプ部材３２の周壁を偏平形状に押し広げて、図６に示すカシメ部３２ａを形成して、該カシメ部３２ａをテーパ状凹部２６ａ内に入り込ませると共に、第２挿通孔２６の外面側周縁に係合させる。
【００４１】
その結果、第１挿通孔１２の内面側周縁に係合したフランジ部３４ａと、第２挿通孔２６の外面側周縁に係合したカシメ部３２ａとにより、連結プレート２０及び人工骨１０が挟み込まれて、連結プレート２０の一端と人工骨１０とを接続することができる。
【００４２】
この場合、固定具３０のパイプ部材３２の外径は、人工骨１０の第１挿通孔１２の内径よりも小さいので、第１挿通孔１２内周が強く押圧されることがない。更に、パイプ部材３２を切断してなるカシメ部３２ａは、連結プレート２０の第２挿通孔２６の外面側周縁に係合して、固定具３０の第１挿通孔１２からの抜け止めを図るものであって、第２挿通孔２６の外面側周縁を強く押圧して係合するものではない。このように、この補填具１においては、ネジ等を用いずに、上記の取付構造により連結プレート２０と人工骨１０とを接続するようにしたので、人工骨１０に過大な締め付け応力がかかることがなく、人工骨１０の割れや亀裂を確実に防止することができる。
【００４３】
また、この実施形態においては、図６に示すように、パイプ部材３２を切断して形成されたカシメ部３２ａと、連結プレート２０の第２挿通孔２６の外面側周縁との間に、所定の隙間Ｓが形成された状態で、カシメ部３２ａが第２挿通孔２６の外面側周縁に係合している。
【００４４】
このため、カシメ部３２ａにより、第２挿通孔２６が強く押圧されることを抑制して、人工骨１０に対する締め付け力を低減することができる。更に、連結プレート２０の一端が、人工骨１０の第１挿通孔１２に小さな締め付け力で接続されるので、連結プレート２０を比較的自由に回動させることできる。そのため、後述するように、生体骨３の欠損部５に人工骨１０を嵌め込んで、連結プレート２０の他端を生体骨３に固定するときに、同連結プレート２０の他端を生体骨３の目的箇所に容易に位置させることができ、補填作業の作業性を向上させることが可能となる。
【００４５】
次に、連結プレート２０の一端と人工骨１０とが、固定具３０により予め接続された状態とされた、本発明の補填具１の使用方法について説明する。
【００４６】
まず、人工骨１０に接続された連結プレート２０の他端部を、補填すべき欠損部５の大きさや形状に合わせて適当な長さにカットする。その後、図１に示すように、補填具１の人工骨１０を、生体骨３の欠損部５にあてがうように、人工骨１０を欠損部５に整合させて嵌め込み、人工骨１０により欠損部５を補填する。
【００４７】
そして、図６に示すように、連結プレート２０の他端の第３挿通孔２８に、ネジ４０を挿入して締付けることにより、ネジ４０の頭部４０ａが、第３挿通孔２８周縁のテーパ状凹部２８ａに入り込むと共に、同第３挿通孔２８の外面側周縁に係合して、連結プレート２０の他端が生体骨３に固定される（図５参照）。
【００４８】
このように、この補填具１においては、人工骨１０に予め連結プレート２０の一端が固定されているので、同連結プレート２０の他端をネジ等の固定手段により、生体骨３に固定するだけの簡単な操作で、図５に示すように、人工骨１０を生体骨３に迅速に取付けることができ、生体骨３の欠損部５への人工骨１０による補填作業の作業性を向上させることができる。
【００４９】
また、この補填具１を構成する、固定具３０のカシメ部３２ａは、人工骨１０の外面側に配置されるので、生体骨３内にカシメ部３２ａが位置することがない。この実施形態では、補填具１は頭蓋骨である生体骨３の補填に用いられるので、頭蓋骨内の脳等の内部組織の損傷を防止することができる。
【００５０】
更に、人工骨１０と生体骨３とは、その表側に配置される連結プレート２０を介して固定されるので、人工骨１０及び生体骨３の厚みが異なる場合であっても、人工骨１０及び生体骨３どうしを確実に固定することができる。
【００５１】
また、この実施形態では、連結プレート２０の第２挿通孔２６の外面側周縁に、テーパ状凹部２６ａが形成されているので、図６に示すように、パイプ部材３２のカシメ部３２ａが、テーパ状凹部２６ａに入り込んで第２挿通孔２６に係合して、カシメ部３２ａが外面側に突出しにくくなり、人工骨１０の外側を覆う頭皮などの組織の損傷を防ぐことができる。なお、連結プレート２０と生体骨３とを固定するネジ４０の頭部４０ａも、連結プレート２０の第３挿通孔２８周縁のテーパ状凹部２８ａに入り込んで、第３挿通孔２８に係合するため、頭部４０ａの外面側への突出が抑制され、頭皮等の損傷が防止される。
【００５２】
図７には、本発明の生体骨の補填具の他の実施形態が示されている。なお、前記実施形態と実質的に同一部分には同符号を付してその説明を省略する。
【００５３】
同図に示すように、この生体骨の補填具１ａ（以下、「補填具１ａ」という）は、人工骨１０に形成された第１挿通孔１２の内面側周縁に、固定具３０のフランジ部３４ａの厚さよりも、深い凹部１２ａが形成されている。
【００５４】
そして、前記実施形態と同様に、人工骨１０の内面側から固定具３０のパイプ部材３２を第１挿通孔１２に挿通させて、固定具３０のフランジ部３４ａを、第１挿通孔１２の内面側周縁に係合させると、図７に示すように、前記凹部１２ａ内にフランジ部３４ａが収容されて、内面側に突出しないので、例えば、頭蓋骨などの生体骨３の補填を行う際に、頭蓋骨内側の脳組織などの損傷を防止することができる。
【図面の簡単な説明】
【００５５】
【図１】本発明の生体骨の補填具の一実施形態を示す斜視図である。
【図２】同生体骨の補填具の要部拡大斜視図である。
【図３】同生体骨の補填具を構成する連結プレートを示しており、（ａ）はその平面図、（ｂ）は断面図である。
【図４】同生体骨の補填具を構成する固定具を示す説明図である。
【図５】同生体骨の補填具により、生体骨の欠損部を補填した状態を示す斜視図である。
【図６】同生体骨の補填具の使用状態での要部断面図である。
【図７】本発明の生体骨の補填具の他の実施形態を示す、要部拡大断面図である。
【符号の説明】
【００５６】
１,１ａ  補填具
３  生体骨
５  欠損部
１０  人工骨
１２  第１挿通孔
１２ａ  凹部
２０  連結プレート
２６  第２挿通孔
２６ａ  テーパ状凹部
２８  第３挿通孔
３０  固定具
３２  パイプ部材
３２ａ  カシメ部
３４ａ  フランジ部
【図１】
2010035921.tif 000003
【図２】
2010035921.tif 000004
【図３】
2010035921.tif 000005
【図４】
2010035921.tif 000006
【図５】
2010035921.tif 000007
【図６】
2010035921.tif 000008
【図７】
2010035921.tif 000009